(57)【要約】材料洗浄装置及び調理器具であって、材料洗浄装置は、洗浄用キャビティ（９０）と、汚物排出管（１００）と、乾燥装置とを含む。洗浄用キャビティ（９０）には、吸気口（９１）、材料吐出口（９３）、及び汚物排出口（９２）が設けられている。汚物排出管（１００）は、汚物排出口（９２）と連通し、洗浄用キャビティ（９０）内の汚物を排出するために用いられる。乾燥装置は、出力端が吸気口（９１）と連通し、洗浄用キャビティ（９０）及び汚物排出管（１００）に気流を送るための吸気管（６０）と、吸気管（６０）と連通し、吸気管（６０）に送風するための送風部材（３０）と、吸気管（６０）によって搬送される気流を加熱可能な発熱構造とを含む。材料洗浄装置に増設された乾燥装置は、熱風を生成できるため、洗浄用キャビティ（９０）の内壁面及び汚物排出管（１００）の内壁面を効果的に乾燥する作用を奏し、残留した澱粉などの付着物が洗浄用キャビティ（９０）の内壁面及び汚物排出管（１００）の内壁面から剥れるとともに、気流に伴って排出されるので、洗浄用キャビティ（９０）及び汚物排出管（１００）にカビが発生することを効果的に防止できる。【選択図】図１
2021517053.tif 000002
【特許請求の範囲】
【請求項１】
吸気口、材料吐出口、及び汚物排出口が開設されている洗浄用キャビティと、
前記汚物排出口と連通し、前記洗浄用キャビティ内の汚物を排出するための汚物排出管と、
出力端が前記吸気口と連通し、前記洗浄用キャビティの内壁面及び前記汚物排出管の内壁面を乾燥するように前記洗浄用キャビティ及び前記汚物排出管に気流を送るための吸気管と、前記吸気管と連通し、前記吸気管に送風するための送風部材と、前記吸気管によって送られる気流を加熱可能な発熱構造とを含む乾燥装置と、を含む材料洗浄装置。
【請求項２】
前記発熱構造は、前記吸気管と協働して前記吸気管内の風を加熱するための熱源を含み、これにより熱風が前記吸気管から前記洗浄用キャビティ及び前記汚物排出管に送られる請求項１に記載の材料洗浄装置。
【請求項３】
前記熱源は、気流の流れ方向に沿って前記送風部材の下流側に位置するか、又は
前記熱源は、気流の流れ方向に沿って前記送風部材の上流側に位置する請求項２に記載の材料洗浄装置。
【請求項４】
前記熱源は、発熱管、電気抵抗線、電磁誘導加熱部材、遠赤外線加熱部材のうちの１つ又は複数を含む請求項３に記載の材料洗浄装置。
【請求項５】
前記発熱構造には熱源が含まれ、前記送風部材と前記熱源とは熱風機として統合され、これにより熱風が前記吸気管から前記洗浄用キャビティ及び前記汚物排出管に送られる請求項１に記載の材料洗浄装置。
【請求項６】
前記送風部材は前記吸気管と協働して、前記熱風の流速を８０ｍ／ｓ以下にする請求項２から請求項５のいずれか一項に記載の材料洗浄装置。
【請求項７】
前記送風部材は前記吸気管と協働して、前記熱風の流量を１０Ｌ／ｍｉｎ以下にする請求項２から請求項６のいずれか一項に記載の材料洗浄装置。
【請求項８】
前記材料吐出口は調理器具の調理室と連通可能であり、前記材料吐出口には前記材料吐出口を開閉するための材料吐出弁が設けられている請求項１から請求項７のいずれか一項に記載の材料洗浄装置。
【請求項９】
前記材料吐出弁は、前記調理室内の熱を前記洗浄用キャビティ及び前記汚物排出管に伝導可能な熱伝導部材であり、前記材料吐出弁は前記発熱構造に含まれる請求項８に記載の材料洗浄装置。
【請求項１０】
前記洗浄用キャビティの底壁が部分的に下方へ凹んで凹溝を形成し、前記材料吐出口が前記凹溝の底壁に開設されている請求項９に記載の材料洗浄装置。
【請求項１１】
前記材料吐出弁は前記凹溝内に位置し、その底部が前記材料吐出口から突出する請求項１０に記載の材料洗浄装置。
【請求項１２】
前記熱伝導部材は金属部材であり、及び／又は
前記材料吐出弁はボール弁である請求項９から請求項１１のいずれか一項に記載の材料洗浄装置。
【請求項１３】
材料排出口が設けられ、材料を貯蔵するための貯蔵箱と、
前記材料排出口と連通する材料供給口と、前記吸気管の出力端に突き合わされて連通する送風口と、材料流出口とが設けられている材料搬送用キャビティと、
入力端が前記材料流出口に突き合わされて連通され、出力端が前記吸気口に突き合わされて連通する材料搬送管とをさらに含む請求項１から請求項１２のいずれか一項に記載の材料洗浄装置。
【請求項１４】
前記材料排出口と前記材料供給口との間には、前記材料排出口と前記材料供給口との間の開閉を制御するための材料下ろし弁がさらに設けられている請求項１３に記載の材料洗浄装置。
【請求項１５】
調理室及び前記調理室を加熱するためのヒーターを有する調理本体と、
材料吐出口が前記調理室と連通し、洗浄用キャビティ内に送り込まれた材料を洗浄し、洗浄後の材料を前記調理室に送り込むための請求項１から請求項１４のいずれか一項に記載の材料洗浄装置とを含む調理器具。
【請求項１６】
前記調理本体は、鍋体及び蓋体を含み、前記鍋体は内鍋を含み、前記調理室を囲むように前記蓋体で前記内鍋に蓋をし、前記材料洗浄装置は前記蓋体に設けられる請求項１５に記載の調理器具。
【請求項１７】
前記内鍋と前記蓋体との間にはシール部材が設けられている請求項１６に記載の調理器具。
【発明の詳細な説明】
【技術分野】
【０００１】
本願は、２０１８年４月１３日に中国特許庁に提出された、出願番号が２０１８２０５２３２７３．８であり、発明の名称が「材料洗浄装置及び調理器具」である中国特許出願と、２０１８年４月１３日に中国特許庁に提出された、出願番号が２０１８２０５２３３３７．４であり、発明の名称が「材料洗浄装置及び調理器具」である中国特許出願の優先権を主張し、その内容の全てを援用することにより本願に取り入れる。
【０００２】
本願は、キッチン用家電技術分野に関し、具体的には、材料洗浄装置及び当該材料洗浄装置を含む調理器具に関する。
【背景技術】
【０００３】
現在、自動炊飯器などのスマート調理器具には、自動洗米用の洗米容器が設けられるとともに、洗米後に自動的に汚物排出するための汚物排出管が設けられるものがある。米粒には澱粉等の付着物が付着しているため、洗米後の洗米容器及び汚物排出管には澱粉等の付着物が残留するとともに、洗米容器及び汚物排出管には水も残留するので、カビが発生しやすくなる。
【発明の概要】
【発明が解決しようとする課題】
【０００４】
上記の技術的問題の少なくとも１つを解決するために、本願の１つの目的は、材料洗浄装置を提供することである。
【０００５】
本願のもう１つの目的は、上記の材料洗浄装置を含む調理器具を提供することである。
【課題を解決するための手段】
【０００６】
上記の目的を実現するために、本願の第１態様の技術的手段にて提供される材料洗浄装置は、吸気口、材料吐出口、及び汚物排出口が開設されている洗浄用キャビティと、前記汚物排出口と連通し、前記洗浄用キャビティ内の汚物を排出するための汚物排出管と、乾燥装置とを含み、前記乾燥装置は、出力端が前記吸気口と連通し、前記洗浄用キャビティの内壁面及び前記汚物排出管の内壁面を乾燥するように前記洗浄用キャビティ及び前記汚物排出管に気流を送るための吸気管と、前記吸気管と連通し、前記吸気管に送風するための送風部材と、前記吸気管によって送られる気流を加熱可能な発熱構造とを含む。
【０００７】
本願の第１態様の技術的手段にて提供される材料洗浄装置には、乾燥装置が増設され、乾燥装置は、吸気管、送風部材及び発熱構造を含み、送風部材は、吸気管により気流が洗浄用キャビティへ送られるように動作時に吸気管に送風し、気流は吸気口を介して洗浄用キャビティに入り、さらに汚物排出口を介して汚物排出管に入り、気流が熱風になれるように発熱構造が吸気管によって送られる気流を加熱できるため、洗浄用キャビティの内壁面及び汚物排出管の内壁面を効果的に乾燥し、残留した澱粉などの付着物が洗浄用キャビティの内壁面及び汚物排出管の内壁面から剥れるとともに、気流に伴って排出されるので、洗浄用キャビティ及び汚物排出管にカビが発生することを効果的に防止し、材料洗浄装置の清浄度が向上し、製品の使用信頼性が向上する。
【０００８】
なお、気流は送風部材により生成され、吸気管を介して洗浄用キャビティに入り、さらに汚物排出管に入るので、気流は、洗浄用キャビティに入る前に発熱構造によって加熱されてもよく、この場合には、吸気管から出力される気流は熱風である。気流は、洗浄用キャビティに入った後に発熱構造によって加熱されてもよく、この場合には、吸気管から出力される気流は洗浄用キャビティ内で熱風になる。当然のことながら、気流は、洗浄用キャビティに入る前及び洗浄用キャビティに入った後の両方で発熱構造によって加熱されてもよい。
【０００９】
また、本願にて提供される上記技術的手段における材料洗浄装置は、以下のような付加的な技術的特徴をさらに有してもよい。
【００１０】
上記技術的手段において、前記発熱構造は、前記吸気管と協働して前記吸気管内の風を加熱するための熱源を含み、これにより熱風が前記吸気管から前記洗浄用キャビティ及び前記汚物排出管に送られる。
【００１１】
送風部材は熱源と協働して熱風を生成することができ、熱風は吸気管により吸気口を介して洗浄用キャビティに入り、さらに汚物排出口を介して汚物排出管に入ることができるため、洗浄用キャビティの内壁面及び汚物排出管の内壁面を効果的に乾燥し、残留した澱粉などの付着物が洗浄用キャビティの内壁面及び汚物排出管の内壁面から剥れるとともに、気流に伴って排出されるので、洗浄用キャビティ及び汚物排出管にカビが発生することを効果的に防止し、材料洗浄装置の清浄度が向上し、製品の使用信頼性が向上する。
【００１２】
上記技術的手段において、好ましくは、前記熱源は、気流の流れ方向に沿って前記送風部材の下流側に位置するか、又は、前記熱源は、気流の流れ方向に沿って前記送風部材の上流側に位置する。
【００１３】
熱源は、気流の流れ方向に沿って送風部材の下流側に位置し、すなわち、送風部材から吹き出された気流は熱源が位置する部位に到達したのち、熱源によって加熱されると、熱風になり、熱風は吸気口を介して洗浄用キャビティ及び汚物排出管に入り、洗浄用キャビティ及び汚物排出管を効果的に乾燥する。
【００１４】
熱源は、気流の流れ方向に沿って送風部材の上流側に位置し、すなわち、熱源により生成された熱が送風部材の位置する部位に伝達されると、送風部材によって生成された風が熱風になり、熱風は吸気口を介して洗浄用キャビティ及び汚物排出管に入り、洗浄用キャビティ及び汚物排出管を効果的に乾燥する。
【００１５】
当然のことながら、熱源により生成された熱は吸気管内を流れることができ、送風部材によって生成された気流も吸気管内を流れることができるので、熱源と送風部材との間の相対的な位置関係及び具体的な距離は特に限定されず、実際の生産中に必要に応じて調整することができ、熱風を生成して吸気口に送ることができればよい。
【００１６】
上記技術的手段において、前記熱源は、発熱管、電気抵抗線、電磁誘導加熱部材、遠赤外線加熱部材のうちの１つ又は複数を含む。
【００１７】
当該技術的手段において、熱源は、主に風を加熱する作用を果たすため、熱源の具体的な種類及び具体的な数に対しては特に要求せず、例えば、発熱管（吸気管内に直列接続される）、電気抵抗線（吸気管に巻き付けられる）、電磁誘導加熱部材、遠赤外線加熱部材のうちのいずれかであってもよく、上記形態の熱源の任意の組合せであってもよく、当然のことながら、他の形態の熱源であってもよく、又は他の形態の熱源と上記列挙した熱源との任意の組合せであってもよく、ここでは一々列挙しない。いずれも本願の目的を実現でき、かつ、いずれも本願の設計思想及び趣旨から逸脱しないため、いずれも本願の保護範囲内にあるものとする。
【００１８】
上記熱源の具体的な取り付けについては特に限定しない。例えば、発熱管は吸気管に直列接続されてもよく、電気抵抗線は吸気管に巻き付けられてもよく、電磁誘導加熱部材の磁力線は、磁気伝導性を有する吸気管を貫通して、誘導加熱することができ、吸気管は遠赤外線加熱部材から放射される赤外線を吸収して発熱することができる。
【００１９】
上記技術的手段において、好ましくは、前記発熱構造には熱源が含まれ、前記送風部材と前記熱源とは熱風機として統合され、これにより熱風が前記吸気管から前記洗浄用キャビティ及び前記汚物排出管に送られる。
【００２０】
送風部材と熱源とは熱風機として統合された場合、熱風機から吹き出される風は熱風であるため、熱風を生成するという目的を実現するだけでなく、乾燥装置の部品の点数を減らし、製品構造の簡素化に有利であり、組み立てスペースを節約する。
【００２１】
上記いずれか一つの技術的手段において、前記送風部材は前記吸気管と協働して、前記熱風の流速を８０ｍ／ｓ以下にする。
【００２２】
上記いずれか一つの技術的手段において、前記送風部材は前記吸気管と協働して、前記熱風の流量を１０Ｌ／ｍｉｎ以下にする。
【００２３】
熱風の流速又は流量が大きすぎると、比較的大きな騒音が発生し、配管が不安定になったり、脱落したりすること等が生じやすくなる。一方、熱風の流速又は流量が小さすぎると、洗浄用キャビティ及び汚物排出管に対する乾燥効率が低すぎ、かつ、澱粉等の付着物の排出に不利となる。したがって、熱風の流速と流量とを合理的に制御することが非常に重要である。
【００２４】
当社の技術者らは多くの実験と調査により以下のことを発見した。送風部材の種類とその出力を合理的に選択し、かつ、吸気管の仕様を合理的に選択することにより、送風部材を吸気管と協働させ、熱風の流速を８０ｍ／ｓ以下の範囲内に制御し、好ましくは３０ｍ／ｓにし、熱風の流量を１０Ｌ／ｍｉｎ以下の範囲内に制御し、好ましくは４Ｌ／ｍｉｎにすると、乾燥効果がよいだけでなく、材料洗浄装置の使用快適性と使用信頼性とを確保できる。
【００２５】
上記いずれか一つの技術的手段において、前記材料吐出口は調理器具の調理室と連通可能であり、前記材料吐出口には前記材料吐出口を開閉するための材料吐出弁が設けられている。
【００２６】
材料吐出口に材料吐出弁が設けられることにより、材料吐出口の選択的な開閉が実現され、材料吐出口の開閉状態を調理器具の具体的な動作手順に適合させることができるため、調理器具の使用信頼性が向上する。具体的には、材料搬送中及び洗浄中に、材料吐出弁が材料吐出口を閉じて、洗浄用キャビティからの材料漏れが発生しないようにし、材料の洗浄が完了したのち、材料吐出弁が材料吐出口を開けて、洗浄用キャビティ内の材料をスムーズに排出することを容易にし、材料の吐出が完了したのち、材料吐出弁が材料吐出口を閉じて、熱風が汚物排出口を介して汚物排出管に入ることを容易にし、これにより一部の熱風が材料吐出口から排出されることを防止し、それにより熱風の利用率が向上し、汚物排出管の効果的な乾燥を確保する。
【００２７】
上記技術的手段において、前記材料吐出弁は、前記調理室内の熱を前記洗浄用キャビティ及び前記汚物排出管に伝導可能な熱伝導部材であり、前記材料吐出弁は前記発熱構造に含まれる。
【００２８】
材料吐出弁は、熱伝導部材であり、かつ、洗浄用キャビティの材料吐出口に取り付けられており、材料吐出口は調理器具の調理室と連通するので、調理中に調理室内の温度が徐々に上昇すると、材料吐出弁の温度も徐々に上昇し、この時、材料吐出弁は発熱構造に相当し、洗浄用キャビティ内の温度を徐々に上昇させる。さらに、送風部材により調理室内に送り込まれた気流を加熱することにより、気流が熱風になって、さらに汚物排出管に入ることにより、洗浄用キャビティの内壁面及び汚物排出管の内壁面を効果的に乾燥して、残留した澱粉などの付着物が洗浄用キャビティの内壁面及び汚物排出管の内壁面から剥れるとともに、気流に伴って排出されるので、洗浄用キャビティ及び汚物排出管にカビが発生することを効果的に防止し、材料洗浄装置の清浄度が向上し、製品の使用信頼性が向上する。また、他の熱源を追加する必要がなく、調理中の材料吐出弁の高効率熱伝達を直接利用することにより、洗浄用キャビティ及び汚物排出管の温度の上昇が実現され、ファンによって生成される気流と併せて汚物排出管及び洗浄用キャビティを乾燥し、カビを防止し、それにより製品構造を簡素化し、エネルギー消費を節約する。
【００２９】
上記技術的手段において、前記洗浄用キャビティの底壁が部分的に下方へ凹んで凹溝を形成し、前記材料吐出口が前記凹溝の底壁に開設されている。
【００３０】
洗浄用キャビティの底壁が部分的に下方へ凹んで凹溝を形成し、材料吐出口を凹溝の底壁に開設することにより、材料吐出口がより下方に位置するので、材料吐出弁もより下方に位置する。このように設けると、調理室のヒーターは一般的に調理室の底部の下方に位置するため、材料吐出弁とヒーターとの間の距離が小さくなり、材料吐出弁の昇温速度が向上するのに有利で、それにより乾燥装置の乾燥効率がより向上する。
【００３１】
上記技術的手段において、前記材料吐出弁は前記凹溝内に位置し、その底部が前記材料吐出口から突出する。
【００３２】
材料吐出弁は凹溝内に位置し、その底部が材料吐出口から突出することにより、材料吐出弁の位置をさらに低くするだけでなく、材料吐出弁と調理室内の空気との接触面積を増加させるため、材料吐出弁の昇温速度がより向上し、乾燥装置の乾燥効率がより向上する。
【００３３】
上記いずれか一つの技術的手段において、前記熱伝導部材は金属部材であり、及び／又は、前記材料吐出弁はボール弁である。
【００３４】
熱伝導部材は金属部材であり、金属部材は、優れた熱伝導性能を有し、効率的な熱伝達を実現できるため、乾燥効率が向上する。また、金属部材は、優れた高さ及び強度を有し、歪みにくく、材料吐出口に対する効果的な閉鎖を実現できるため、長期使用に有利である。当然のことながら、熱伝導部材の材質は金属部材に限定されず、セラミック部材、ガラス部材等であってもよく、ここでは一々列挙しない。いずれも本願の目的を実現でき、かつ、いずれも本願の設計思想及び趣旨から逸脱しないため、いずれも本願の保護範囲内にあるものとする。
【００３５】
材料吐出弁はボール弁であり、ボール弁は重力の作用で自動的に正しい位置に調整できるため、材料吐出口に対する効果的な閉鎖が実現できる。また、ボール弁の下部が材料吐出口から突出することができるため、調理室内に延伸する材料吐出弁のサイズを大きくすることにより、材料吐出弁の昇温速度がより向上し、乾燥装置の乾燥効率がより向上することに有利である。当然のことながら、材料吐出弁の材料は球形に限定されず、板状、ブロック状、円錐状又は他の形状などであってもよく、ここでは一々列挙しない。いずれも本願の目的を実現でき、かつ、いずれも本願の設計思想及び趣旨から逸脱しないため、いずれも本願の保護範囲内にあるものとする。
【００３６】
ボール弁の具体的な駆動方式については特に限定しない。例えば、ボール弁の上方に駆動機構が設けられてもよく、駆動機構は垂直方向に延在する駆動ロッドを含み、駆動ロッドはユニバーサルジョイントを介してボール弁に接続され、上下直線運動によりボール弁を駆動して上下に移動させて、材料吐出口を開閉する。又は、駆動機構は水平方向に延在するレバーを含み、レバーはロープを介してボール弁に接続され、上下揺動によりボール弁を駆動して上下に移動させて、材料吐出口を開閉する。
【００３７】
上記いずれか一つの技術的手段において、前記材料洗浄装置は、材料排出口が設けられ、材料を貯蔵するための貯蔵箱と、前記材料排出口と連通する材料供給口と、前記吸気管の出力端に突き合わされて連通する送風口と、材料流出口とが設けられている材料搬送用キャビティと、入力端が前記材料流出口に突き合わされて連通され、出力端が前記吸気口に突き合わされて連通する材料搬送管とをさらに含む。
【００３８】
材料洗浄装置は貯蔵箱と、材料搬送用キャビティと、材料搬送管とをさらに含むため、材料洗浄装置は貯蔵機能及び自動材料搬送機能を有するとともに、送風部材を用いて空気圧での材料搬送を実現でき、さらに、送風部材及び熱源を利用して材料搬送用キャビティ及び材料搬送管を乾燥し、材料搬送用キャビティ及び材料搬送管にカビが発生することを防止することができる。具体的には、貯蔵箱の材料排出口は材料搬送用キャビティの材料供給口と連通しているため、貯蔵箱内の材料が材料搬送用キャビティ内に入って中継されることができる。材料搬送用キャビティは、送風口が吸気管の出力端に突き合わされて連通され、材料流出口が材料搬送管の入力端に突き合わされて連通され、材料搬送管の出力端が洗浄用キャビティの吸気口に突き合わされて連通されるので、送風部材によって生成された風は吸気管を介して材料搬送用キャビティに入り、さらに材料搬送管を介して洗浄用キャビティ及び汚物排出管に入るので、この時、吸気口は吸気にも、材料の供給にも用いられる。このように、洗浄用キャビティに材料を供給する必要がある時、送風部材を起動し、気流を利用して材料搬送用キャビティ内の材料を洗浄用キャビティ内に吹き込むことにより、空気圧での材料搬送が実現され、空気圧での材料搬送は、クリーンで無公害という利点を有する。材料の搬送が完了したのち、熱源及び送風部材を同時に起動すると、熱風が材料搬送用キャビティ及び材料搬送管を乾燥するとともに、材料搬送用キャビティ及び材料搬送管内に残留した澱粉等の付着物を除去し、材料搬送用キャビティ及び材料搬送管にカビが発生することを防止する。材料洗浄が完了したのち、洗浄後の汚水は汚物排出管を介して排出され、材料は材料吐出口を介して排出される。この時、熱源と送風部材を同時に起動し、熱風を利用して洗浄用キャビティと汚物排出管とを乾燥するとともに、洗浄用キャビティと汚物排出管とに残留した澱粉などの付着物を除去し、洗浄用キャビティ及び汚物排出管にカビが発生することを防止する。
【００３９】
当然のことながら、本願の乾燥装置は、材料搬送用キャビティと材料搬送管とを乾燥するためにのみ用いられてもよく、例えば、材料搬送管の出力端は内鍋と連通して、材料を内鍋に直接送り込み、材料の搬送が完了した後、熱源と送風部材を同時に起動して、材料搬送用キャビティ及び材料搬送管を乾燥するとともに、材料搬送用キャビティと材料搬送管とに残留した澱粉などの付着物を除去し、材料搬送用キャビティと材料搬送管にカビが発生することを防止する。
【００４０】
上記技術的手段において、前記材料排出口と前記材料供給口との間には、前記材料排出口と前記材料供給口との間の開閉を制御するための材料下ろし弁がさらに設けられている。
【００４１】
材料排出口と材料供給口との間に、材料排出口と材料供給口との間の開閉を制御するための材料下ろし弁がさらに設けられることにより、貯蔵箱と材料搬送用キャビティとの間の選択的な開閉が実現され、材料の定量搬送の実現が容易になるだけでなく、材料搬送用キャビティを空にすることも容易になるため、熱風が材料搬送用キャビティをスムーズに通過することが容易になり、材料搬送用キャビティ、材料搬送管、洗浄用キャビティ、及び汚物排出管に対する乾燥機能を実現する。
【００４２】
本願の第２の態様の技術的手段にて提供される調理器具は、調理室及び前記調理室を加熱するためのヒーターを有する調理本体と、材料吐出口が前記調理室と連通し、洗浄用キャビティ内に送り込まれた材料を洗浄し、洗浄後の材料を前記調理室に送り込むための第１の態様の技術的手段のいずれか一つに記載の材料洗浄装置とを含む。
【００４３】
本願の第２の態様の技術的手段にて提供される調理器具は第１の態様の技術的手段のいずれか一つに記載の材料洗浄装置を含むので、上記のいずれか一つの技術的手段が有するすべての有益な効果を有し、ここでは詳細な説明を省略する。
【００４４】
上記技術的手段において、前記調理本体は、鍋体及び蓋体を含み、前記鍋体は内鍋を含み、前記調理室を囲むように前記蓋体で前記内鍋に蓋をし、前記材料洗浄装置は前記蓋体に設けられる。
【００４５】
材料洗浄装置が蓋体に設けられることで、洗浄用キャビティの材料吐出口が開いたときに調理室と連通しやすくなり、それにより洗浄用キャビティ内の材料が調理室内にスムーズに入って調理され、構造がよりコンパクトで合理的になる。また、上向きに上昇する高温蒸気が材料吐出弁に接触しやすく、それにより材料吐出弁を効果的に加熱し、材料吐出弁が急速に昇温する。
【００４６】
上記技術的手段において、前記内鍋と前記蓋体との間にはシール部材が設けられている。
【００４７】
内鍋と蓋体との間にシール部材を設けることで、内鍋内の高温蒸気が蓋体に入って、蓋体内の構造を破壊したり、その使用信頼性を損なったりすることを効果的に回避でき、また、内鍋からの熱損失が著しく低減することにより、熱利用率が向上し、さらに、調理器具の調理効率が向上するだけでなく、材料吐出弁の昇温速度が向上し、乾燥装置の乾燥効率がより向上する。
【００４８】
上記いずれか一つの技術的手段において、前記調理器具は電気炊飯器である。
【００４９】
無論、電気炊飯器に限らず、電気圧力鍋、電気煮鍋、電気蒸し鍋、コーヒーメーカー、自動ミルクメーカーなどであってもよい。
【００５０】
本願の付加的な態様及び利点は、以下の説明によって明確になり、又は本願を実施することで理解できる。
【００５１】
本願の上記及び／又は付加的な態様及び利点は、以下の図面を参照した実施例の説明から明確になり、容易に理解することができる。
【図面の簡単な説明】
【００５２】
【図１】本願の一部の実施例に係る調理器具の部分断面構造の模式図である。
【図２】本願の他の一部の実施例に係る調理器具の部分断面構造の模式図である。
【図３】本願のさらに他の一部の実施例に係る調理器具の部分断面構造の模式図である。ここで、図１、２、および３の矢印は、材料の流れ方向または気流の流れ方向を示す。
【発明を実施するための形態】
【００５３】
本願の上記目的、特徴及び利点をより明確に理解できるように、以下、図面及び具体的な実施形態を参照しながら本願についてさらに詳しく説明する。なお、本願の実施例及び実施例における特徴は、矛盾しない限り、互いに組み合わせることができる。
【００５４】
以下の説明では、本願を十分に理解するために、多数の具体的な詳細を記載するが、本願は、本明細書に記載された形態と異なる他の形態で実施してもよい。したがって、本願の保護範囲は、以下に開示される具体的な実施例によって限定されるものではない。
【００５５】
以下、図１から図３を参照して、本願の一部の実施例に係る材料洗浄装置及び調理器具について説明する。
【００５６】
図１に示すように、本願の第１の態様の実施例にて提供される材料洗浄装置は、洗浄用キャビティ９０と、汚物排出管１００と、乾燥装置とを含む。
【００５７】
図１に示すように、本願の第１の態様の実施例にて提供される材料洗浄装置は、洗浄用キャビティ９０と、汚物排出管１００と、乾燥装置とを含む。
【００５８】
具体的には、洗浄用キャビティ９０には、吸気口９１、材料吐出口９３、及び汚物排出口９２が開設されている。汚物排出管１００は、汚物排出口９２と連通し、洗浄用キャビティ９０内の汚物を排出するために用いられる。乾燥装置は、吸気管６０と、吸気管６０と連通し、吸気管６０に送風するための送風部材３０と、吸気管６０によって送られる気流を加熱可能な発熱構造と、を含み、ただし、吸気管６０の出力端は吸気口９１と連通し、洗浄用キャビティ９０の内壁面及び汚物排出管１００の内壁面を乾燥するように洗浄用キャビティ９０及び汚物排出管１００に気流を送るために用いられる。
【００５９】
本願の第１態様の実施例にて提供される材料洗浄装置には、乾燥装置が増設され、乾燥装置は、吸気管６０、送風部材３０（ファン、空気ポンプなど）及び発熱構造を含み、送風部材３０は、吸気管６０により気流が洗浄用キャビティ９０に送られるように動作時に吸気管６０に送風し、気流が熱風になれるように気流は吸気口９１を介して洗浄用キャビティ９０に入り、さらに汚物排出口９２を介して汚物排出管１００に入り、発熱構造で吸気管６０によって送られる気流を加熱できるため、洗浄用キャビティ９０の内壁面及び汚物排出管１００の内壁面を効果的に乾燥し、残留した澱粉などの付着物が洗浄用キャビティ９０の内壁面及び汚物排出管１００の内壁面から剥れるとともに、気流に伴って排出されるので、洗浄用キャビティ９０及び汚物排出管１００にカビが発生することを効果的に防止し、材料洗浄装置の清浄度が向上し、製品の使用信頼性が向上する。
【００６０】
なお、気流は送風部材により生成され、吸気管６０を介して洗浄用キャビティ９０に入り、さらに汚物排出管１００に入るので、気流は、洗浄用キャビティ９０に入る前に発熱構造によって加熱されてもよく、この場合には、吸気管６０から出力される気流が熱風であり。気流は、洗浄用キャビティ９０に入った後に発熱構造によって加熱されてもよく、この場合には、吸気管６０から出力される気流が洗浄用キャビティ９０内で熱風になる。当然のことながら、気流は、洗浄用キャビティ９０に入る前及び洗浄用キャビティ９０に入る後の両方で発熱構造によって加熱されてもよい。
【００６１】
以下、一部の実施例を参照しながら、本願にて提供される材料洗浄装置の具体的な構造について詳細に説明する。
【００６２】
実施例１
【００６３】
発熱構造は、吸気管６０と協働して吸気管６０内の風を加熱するための熱源を含み、吸気管６０により熱風が洗浄用キャビティ９０及び汚物排出管１００に送られる。
【００６４】
送風部材３０は熱源と協働して熱風を生成することができ、熱風は吸気管６０により吸気口９１を介して洗浄用キャビティ９０に入り、さらに汚物排出口９２を介して汚物排出管１００に入るため、洗浄用キャビティ９０の内壁面及び汚物排出管１００の内壁面を効果的に乾燥し、残留した澱粉などの付着物を洗浄用キャビティ９０の内壁面及び汚物排出管１００の内壁面から剥れるとともに、気流に伴って排出されるので、洗浄用キャビティ９０及び汚物排出管１００にカビが発生することを効果的に防止し、材料洗浄装置の清浄度が向上し、製品の使用信頼性が向上する。
【００６５】
さらに、図１及び図２に示すように、熱源は、気流の流れ方向に沿って送風部材３０の上流側に位置する。
【００６６】
熱源は、気流の流れ方向に沿って送風部材３０の上流側に位置し、すなわち、熱源により生成された熱が送風部材３０の位置する部位に伝達されると、送風部材３０によって生成された風が熱風になり、熱風は吸気口９１を介して洗浄用キャビティ９０及び汚物排出管１００に入り、洗浄用キャビティ９０及び汚物排出管１００を効果的に乾燥する。
【００６７】
当然のことながら、熱源により生成された熱は吸気管６０内を流れることができ、送風部材３０によって生成された気流も吸気管６０内を流れることができるので、熱源と送風部材３０との間の相対的な位置関係及び具体的な距離は特に限定されず、実際の生産中に必要に応じて調整することができ、熱風を生成して吸気口９１に送ることができればよい。
【００６８】
ここで、熱源は、発熱管８１、電気抵抗線、電磁誘導加熱部材、遠赤外線加熱部材のうちの１つ又は複数を含む。
【００６９】
具体的には、図１及び図２に示すように、熱源は発熱管８１であり、発熱管８１は吸気管６０に直列接続される。
【００７０】
当該実施例において、熱源は、主に風を加熱する作用を果たすため、熱源の具体的な種類及び具体的な数に対しては特に要求せず、例えば、発熱管８１（吸気管６０内に直列接続される）、電気抵抗線（吸気管６０に巻き付けられる）、電磁誘導加熱部材、遠赤外線加熱部材のうちのいずれかであってもよく、上記形態の熱源の任意の組合せであってもよく、当然のことながら、他の形態の熱源であってもよく、又は他の形態の熱源と上記列挙した熱源との任意の組合せであってもよく、ここでは一々列挙しない。いずれも本願の目的を実現でき、かつ、いずれも本願の設計思想及び趣旨から逸脱しないため、いずれも本願の保護範囲内にあるものとする。
【００７１】
上記熱源の具体的な取り付けについては特に限定しない。例えば、発熱管８１は吸気管６０に直列接続されてもよく、電気抵抗線は吸気管６０に巻き付けられてもよく、電磁誘導加熱部材の磁力線は、磁気伝導性を有する吸気管６０を貫通して、誘導加熱することができ、吸気管６０は遠赤外線加熱部材から放射される赤外線を吸収して発熱することができる。
【００７２】
さらに、送風部材３０は吸気管６０と協働して、熱風の流速を８０ｍ／ｓ以下にする。
【００７３】
好ましくは、熱風の流速を３０ｍ／ｓとする。
【００７４】
さらに、送風部材３０は吸気管６０と協働して、熱風の流量を１０Ｌ／ｍｉｎ以下にする。
【００７５】
好ましくは、熱風の流量を１０Ｌ／ｍｉｎとする。
【００７６】
熱風の流速又は流量が大きすぎると、比較的大きな騒音が発生し、配管が不安定になったり、脱落したりすることが生じやすくなる。熱風の流速又は流量が小さすぎると、洗浄用キャビティ９０及び汚物排出管１００に対する乾燥効率が低くすぎ、かつ、澱粉等の付着物の排出に不利となる。したがって、熱風の流速と流量を合理的に制御することが非常に重要である。
【００７７】
当社の技術者らは多くの実験と調査により以下のことを発見した。送風部材３０の種類とその出力を合理的に選択し、かつ、吸気管６０の仕様を合理的に選択することにより、送風部材３０と吸気管６０を協働させ、熱風の流速（例えば、吸気口や汚物排出口や吸気管内や送風部材での流速）を８０ｍ／ｓ以下の範囲内に制御し、好ましくは３０ｍ／ｓにし、熱風の流量（例えば、吸気口や汚物排出口や吸気管内や送風部材での流量）を１０Ｌ／ｍｉｎ以下の範囲内に制御し、好ましくは４Ｌ／ｍｉｎにすると、乾燥効果がよいだけでなく、材料洗浄装置の使用快適性と使用信頼性も確保する。
【００７８】
さらに、材料吐出口９３には、材料吐出口９３を開閉するための材料吐出弁１１０が設けられる。
【００７９】
材料吐出口９３に材料吐出弁１１０が設けられることにより、材料吐出口９３の選択的な開閉が実現され、材料吐出口９３の開閉状態を調理器具の具体的な動作手順に適合させることができるため、調理器具の使用信頼性が向上する。具体的には、材料搬送中及び洗浄中に、材料吐出弁１１０が材料吐出口９３を閉じて、洗浄用キャビティ９０からの材料漏れが発生しないようにし、材料の洗浄が完了したのち、材料吐出弁１１０が材料吐出口９３を開けて、洗浄用キャビティ９０内の材料をスムーズに排出することを容易にし、材料排出が完了したのち、材料吐出弁１１０が材料吐出口９３を閉じて、熱風が汚物排出口９２を介して汚物排出管１００に入ることを容易にし、これにより一部の熱風が材料吐出口９３から排出されることを防止し、それにより熱風の利用率が向上し、汚物排出管１００を効果的に乾燥することを確保する。
【００８０】
実施例２（図示せず）
【００８１】
実施例１との異なる点は、熱源は、気流の流れ方向に沿って送風部材３０の下流側に位置することである。
【００８２】
熱源は、気流の流れ方向に沿って送風部材３０の下流側に位置し、すなわち、送風部材３０から吹き出された気流は熱源が位置する部位に到達したのち、熱源によって加熱されて、熱風となり、熱風は吸気口９１を介して洗浄用キャビティ９０及び汚物排出管１００内に入り、洗浄用キャビティ９０及び汚物排出管１００を効果的に乾燥する。
【００８３】
実施例３（図示せず）
【００８４】
前記発熱構造は熱源を含み、送風部材３０と熱源は熱風機として統合され、吸気管６０により熱風が洗浄用キャビティ９０及び汚物排出管１００に搬送される。
【００８５】
送風部材３０と熱源は熱風機として統合された場合、熱風機から吹き出された風は熱風であるため、熱風を生成するという目的を実現するだけでなく、乾燥装置の部品の点数を減らし、製品の構造の簡略化に有利であり、組み立てスペースを節約する。
【００８６】
さらに、送風部材３０は吸気管６０と協働して、熱風の流速を８０ｍ／ｓ以下に制御する。
【００８７】
好ましくは、熱風の流速を３０ｍ／ｓとする。
【００８８】
さらに、送風部材３０は吸気管６０と協働して、熱風の流量を１０Ｌ／ｍｉｎ以下に制御する。
【００８９】
好ましくは、熱風の流量を１０Ｌ／ｍｉｎとする。
【００９０】
熱風の流速又は流量が大きすぎると、比較的大きな騒音が発生し、配管が不安定になったり、脱落したりすることが生じやすくなる。熱風の流速又は流量が小さすぎると、洗浄用キャビティ９０及び汚物排出管１００に対する乾燥効率が低くすぎ、かつ、澱粉等の付着物の排出に不利となる。したがって、熱風の流速と流量を合理的に制御することが非常に重要である。
【００９１】
当社の技術者らは多くの実験と調査により以下のことを発見した。送風部材３０の種類とその出力を合理的に選択し、かつ、吸気管６０の仕様を合理的に選択することにより、送風部材３０と吸気管６０を協働させ、熱風の流速（例えば、吸気口や汚物排出口や吸気管内や送風部材での流速）を８０ｍ／ｓ以下の範囲内に制御し、好ましくは３０ｍ／ｓにし、熱風の流量（例えば、吸気口や汚物排出口や吸気管内や送風部材での流量）を１０Ｌ／ｍｉｎ以下の範囲内に制御し、好ましくは４Ｌ／ｍｉｎにすると、乾燥効果がよいだけでなく、材料洗浄装置の使用快適性と使用信頼性も確保する。
【００９２】
さらに、材料吐出口９３には、材料吐出口９３を開閉するための材料吐出弁１１０が設けられている。
【００９３】
材料吐出口９３に材料吐出弁１１０が設けられることにより、材料吐出口９３の選択的な開閉を実現され、材料吐出口９３の開閉状態を調理器具の具体的な動作手順に適合させることができるため、調理器具の使用信頼性が向上する。具体的には、材料搬送中及び洗浄中に、材料吐出弁１１０が材料吐出口９３を閉じて、洗浄用キャビティ９０からの材料漏れが発生しないようにし、材料の洗浄が完了したのち、材料吐出弁１１０が材料吐出口９３を開けて、洗浄用キャビティ９０内の材料をスムーズに排出することを容易にし、材料排出が完了したのち、材料吐出弁１１０が材料吐出口９３を閉じて、熱風が汚物排出口９２を介して汚物排出管１００に入ることを容易にし、これにより一部の熱風が材料吐出口９３から排出されることを防止し、それにより熱風の利用率が向上し、汚物排出管１００を効果的に乾燥することを確保する。
【００９４】
実施例４
【００９５】
実施例１に加えて、図１に示すように、材料洗浄装置は、貯蔵箱１０と、材料搬送用キャビティ４０と、材料搬送管７０とをさらに含むことが実施例１との異なる点である。
【００９６】
具体的には、貯蔵箱１０は材料を貯蔵するために用いられ、材料排出口１１が設けられる。材料搬送用キャビティ４０には、材料供給口４１、送風口４２及び材料流出口４３が設けられている。材料供給口４１は材料排出口１１と連通する。送風口４２が吸気管６０の出力端に突き合わされて連通する。材料搬送管７０は、入力端が材料流出口４３に突き合わされて連通され、出力端が吸気口９１と突き合わされて連通する。
【００９７】
材料洗浄装置は、貯蔵箱１０と、材料搬送用キャビティ４０と、材料搬送管７０とをさらに含むため、材料洗浄装置は貯蔵機能及び自動材料搬送機能を有し、また、送風部材３０を用いて空気圧での材料搬送を実現でき、さらに、送風部材３０及び熱源を利用して材料搬送用キャビティ４０及び材料搬送管７０を乾燥し、材料搬送用キャビティ４０及び材料搬送管７０にカビが発生することを防止することができる。
【００９８】
具体的には、貯蔵箱１０の材料排出口１１は材料搬送用キャビティ４０の材料供給口４１と連通しているため、貯蔵箱１０内の材料が材料搬送用キャビティ４０内に入って中継されることができる。材料搬送用キャビティ４０の送風口４２が吸気管６０の出力端に突き合わされて連通され、材料流出口４３が材料搬送管７０の入力端に突き合わされて連通され、材料搬送管７０の出力端が洗浄用キャビティ９０の吸気口９１に突き合わされて連通されるので、送風部材３０によって生成された空気は吸気管６０を介して材料搬送用キャビティ４０に入り、さらに材料搬送管７０を介して洗浄用キャビティ９０及び汚物排出管１００に入るので、この時、吸気口９１は吸気にも、材料の供給にも用いられる。
【００９９】
このように、洗浄用キャビティ９０に材料を供給する必要がある時、送風部材３０を起動し、気流を利用して材料搬送用キャビティ４０内の材料を洗浄用キャビティ９０内に吹き込むことにより、空気圧での材料搬送が実現され、空気圧での材料供給は、クリーンで無公害という利点を有する。材料の搬送が完了したのち、熱源及び送風部材３０を同時に起動すると、熱風が材料搬送用キャビティ４０及び材料搬送管７０を乾燥するとともに、材料搬送用キャビティ４０及び材料搬送管７０内に残留した澱粉等の付着物を除去するため、材料搬送用キャビティ４０及び材料搬送管７０にカビが発生することを防止する。材料洗浄が完了したのち、洗浄後の汚水は汚物排出管１００を介して排出され、材料は材料吐出口９３から排出される。この時、熱源と送風部材３０を同時に起動し、熱風を利用して洗浄用キャビティ９０と汚物排出管１００を乾燥するとともに、洗浄用キャビティ９０と汚物排出管１００に残留した澱粉などの付着物を除去するため、洗浄用キャビティ９０及び汚物排出管１００にカビが発生することを防止する。
【０１００】
当然のことながら、本願の乾燥装置は、材料搬送用キャビティ４０と材料搬送管７０とを乾燥するためにのみ用いられてもよく、例えば、材料搬送管７０の出力端は内鍋５０と連通して、材料を内鍋５０に直接送り込む。図２に示すように、材料搬送が完了した後、熱源と送風部材３０を同時に起動して、材料搬送用キャビティ４０及び材料搬送管７０を乾燥するとともに、材料搬送用キャビティ４０と材料搬送管７０に残留した澱粉などの付着物を除去するため、材料搬送用キャビティ４０と材料搬送管７０にカビが発生することを防止する。
【０１０１】
さらに、図１及び図２に示すように、材料排出口１１と材料供給口４１との間には、材料排出口１１と材料供給口４１との間の開閉を制御するための材料下ろし弁２０がさらに設けられている。
【０１０２】
材料排出口１１と材料供給口４１との間に、材料排出口１１と材料供給口４１との間の開閉を制御するための材料下ろし弁２０がさらに設けられることにより、貯蔵箱１０と材料搬送用キャビティ４０との間の選択的な開閉が実現され、材料の定量搬送の実現が容易になっただけでなく、材料搬送用キャビティ４０を空にすることも容易になったため、熱風が材料搬送用キャビティ４０をスムーズに通過することが容易になり、材料搬送用キャビティ４０、材料搬送管７０、洗浄用キャビティ９０、及び汚物排出管１００に対する乾燥機能を実現する。
【０１０３】
実施例５
【０１０４】
材料吐出口９３は調理器具の調理室と連通し、材料吐出口９３には材料吐出口９３を開閉するための材料吐出弁１１０が設けられ、ここで、材料吐出弁１１０は熱伝導部材であり、熱伝導部材は、調理室内の熱を洗浄用キャビティ９０及び汚物排出管１００に伝導することができ、発熱構造は材料吐出弁１１０を含む。
【０１０５】
材料吐出弁１１０は、熱伝導部材であり、かつ、洗浄用キャビティ９０の材料吐出口９３に取り付けられており、材料吐出口９３は調理器具の調理室と連通するので、調理中に調理室内の温度が徐々に上昇すると、材料吐出弁１１０の温度も徐々に上昇し、この時、材料吐出弁１１０は発熱構造に相当し、洗浄用キャビティ９０内の温度を徐々に上昇させる。さらに、送風部材３０により調理室内に吹き込まれた気流を加熱することにより、気流が熱風になって、さらに汚物排出管１００に入ることにより、洗浄用キャビティ９０の内壁面及び汚物排出管１００の内壁面を効果的に乾燥して、残留した澱粉などの付着物が洗浄用キャビティ９０の内壁面及び汚物排出管１００の内壁面から剥れるとともに、気流に伴って排出されるので、洗浄用キャビティ９０及び汚物排出管１００にカビが発生することを効果的に防止し、材料洗浄装置の清浄度が向上し、製品の使用信頼性が向上する。また、他の熱源を追加する必要がなく、調理中の材料吐出弁１１０の高効率熱伝達を直接利用することにより、洗浄用キャビティ９０及び汚物排出管１００の温度の上昇が実現され、ファンによって生成される気流と併せて汚物排出管１００及び洗浄用キャビティ９０を乾燥し、カビの発生を防止し、それにより製品構造を簡略化し、かつエネルギー消費を節約する。
【０１０６】
なお、材料吐出弁１１０により材料吐出口９３の選択的な開閉が実現されて、材料吐出口９３の開閉状態を調理器具の具体的な動作手順に適合させることができるため、調理器具の使用信頼性が向上する。具体的には、材料搬送中及び洗浄中に、材料吐出弁１１０が材料吐出口９３を閉じて、洗浄用キャビティ９０からの材料漏れが発生しないようにし、材料の洗浄が完了したのち、材料吐出弁１１０が材料吐出口９３を開けて、洗浄用キャビティ９０内の材料をスムーズに排出することを容易にし、材料の吐出が完了したのち、材料吐出弁１１０が材料吐出口９３を閉じて、熱風が汚物排出口９２を介して汚物排出管１００に入ることを容易にし、これにより一部の熱風が材料吐出口９３から排出されることを防止し、それにより熱風の利用率が向上し、汚物排出管１００を効果的に乾燥することを確保する。
【０１０７】
さらに、図３に示すように、洗浄用キャビティ９０の底壁が部分的に下方へ凹んで凹溝９４を形成し、材料吐出口９３が凹溝９４の底壁に開設されている。
【０１０８】
洗浄用キャビティ９０の底壁が部分的に下方へ凹んで凹溝９４を形成し、材料吐出口９３を凹溝９４の底壁に開設することにより、材料吐出口９３がより下方に位置するので、材料吐出弁１１０もより下方に位置する。しかし、このように設けると、調理室のヒーター８２は一般的に調理室の底部の下方に位置するため、材料吐出弁１１０とヒーター８２との間の距離が小さくなり、材料吐出弁１１０の昇温速度が向上するのに有利出、それにより乾燥装置の乾燥効率がより向上する。
【０１０９】
さらに、材料吐出弁１１０は凹溝９４内に位置し、その底部が材料吐出口９３から突出する。
【０１１０】
材料吐出弁１１０は凹溝９４内に位置し、その底部が材料吐出口９３から突出することにより、材料吐出弁１１０の位置をさらに低くするだけでなく、材料吐出弁１１０と調理室内の空気との接触面積を増加させるため、材料吐出弁１１０の昇温速度がより向上し、乾燥装置の乾燥効率がより向上する。
【０１１１】
好ましくは、熱伝導部材は金属部材である。
【０１１２】
熱伝導部材は金属部材であり、金属部材は、優れた熱伝導性能を有し、効率的な熱伝達を実現できるため、乾燥効率が向上する。また、金属部材は、優れた高さ及び強度を有し、歪みにくく、材料吐出口９３に対する効果的な閉鎖を実現できるため、長期使用に有利である。
【０１１３】
当然のことながら、熱伝導部材の材質は金属部材に限定されず、セラミック部材、ガラス部材等であってもよく、ここでは一々列挙しない。いずれも本願の目的を実現でき、かつ、いずれも本願の設計思想及び趣旨から逸脱しないため、いずれも本願の保護範囲内にあるものとする。
【０１１４】
好ましくは、図３に示すように、材料吐出弁１１０はボール弁である。
【０１１５】
材料吐出弁１１０はボール弁であり、ボール弁は重力の作用で自動的に正しい位置に調整できるため、材料吐出口９３に対する効果的な閉鎖が実現できる。また、ボール弁の下部が材料吐出口９３から突出することができるため、が調理室内に延伸している材料吐出弁１１０のサイズを大きくすることにより、材料吐出弁１１０の昇温速度がより向上し、乾燥装置の乾燥効率がより向上する。
【０１１６】
ボール弁の具体的な駆動方式については特に限定しない。例えば、ボール弁の上方に駆動機構が設けられ、駆動機構は垂直方向に延在する駆動ロッドを含み、駆動ロッドはユニバーサルジョイントを介してボール弁に接続され、上下直線運動によりボール弁を駆動して上下に移動させて、材料吐出口９３を開閉する。又は、駆動機構は水平方向に延在するレバーを含み、レバーはロープを介してボール弁に接続され、上下揺動によりボール弁を駆動して上下に移動させて、材料吐出口９３を開閉する。
【０１１７】
当然のことながら、材料吐出弁１１０の材料は球形に限定されず、板状、ブロック状、円錐状又は他の形状などであってもよく、ここでは一々列挙しない。いずれも本願の目的を実現でき、かつ、いずれも本願の設計思想及び趣旨から逸脱しないため、いずれも本願の保護範囲内にあるものとする。
【０１１８】
実施例６（図示せず）
【０１１９】
実施例５に加えて、発熱構造は、吸気管６０と協働して吸気管６０内の風を加熱するための熱源をさらに含むことが実施例５との異なる点である。
【０１２０】
熱源を追加することにより、送風部材３０は追加の熱源と協働して熱風を生成することができ、熱風は吸気管６０により吸気口９１を介して洗浄用キャビティ９０に入り、さらに汚物排出口９２を介して汚物排出管１００に入るため、洗浄用キャビティ９０の内壁面及び汚物排出管１００の内壁面を効果的に乾燥し、残留した澱粉などの付着物が洗浄用キャビティ９０の内壁面及び汚物排出管１００の内壁面から剥れるとともに、気流に伴って排出されるか、又は、調理中に吸気管６０により洗浄用キャビティ９０に送り込まれた熱風は、洗浄用キャビティ９０内で材料吐出弁１１０の加熱作用によりさらに昇温してから汚物排出管１００に入る。これにより、洗浄用キャビティ９０の内壁面及び汚物排出管１００の内壁面に対する乾燥効率がより向上し、残留した澱粉などの付着物が洗浄用キャビティ９０の内壁面及び汚物排出管１００の内壁面から剥れるとともに、気流に伴って排出されるのに有利になるため、洗浄用キャビティ９０及び汚物排出管１００にカビが発生することをさらに効果的に防止し、材料洗浄装置の清浄度が向上し、製品の使用信頼性が向上する。したがって、当該熱源を設けることにより、洗浄用キャビティ９０及び汚物排出管１００を乾燥し、カビを防止する操作時間が大幅に延長され、調理中でも、非調理中でも行うことができるため、操作の柔軟性が向上し、ユーザー体験がより向上する。
【０１２１】
さらに、熱源は、気流の流れ方向に沿って送風部材３０の上流側に位置する。
【０１２２】
熱源は、気流の流れ方向に沿って送風部材３０の上流側に位置し、すなわち、熱源により生成された熱が送風部材３０の位置する部位に伝達されると、送風部材３０によって生成された風が熱風になり、熱風は吸気口９１を介して洗浄用キャビティ９０及び汚物排出管１００内に入り、洗浄用キャビティ９０及び汚物排出管１００を効果的に乾燥する。
【０１２３】
ここで、熱源は発熱管、電気抵抗線、電磁誘導加熱部材、遠赤外線加熱部材のうちの１つ又は複数を含む。
【０１２４】
当該実施例において、熱源は、主に風を加熱する作用を果たすため、熱源の具体的な種類及び具体的な数に対しては特に要求せず、例えば、発熱管（吸気管６０内に直列接続される）、電気抵抗線（吸気管６０に巻き付けられる）、電磁誘導加熱部材、遠赤外線加熱部材のうちのいずれかであってもよく、上記形態の熱源の任意の組合せであってもよく、当然のことながら、他の形態の熱源であってもよく、又は他の形態の熱源と上記列挙した熱源との任意の組合せであってもよく、ここでは一々列挙しない。いずれも本願の目的を実現でき、かつ、いずれも本願の設計思想及び趣旨から逸脱しないため、いずれも本願の保護範囲内にあるものとする。
【０１２５】
上記熱源の具体的な取り付けについては特に限定しない。例えば、発熱管は吸気管６０に直列接続されてもよく、電気抵抗線は吸気管６０に巻き付けられてもよく、電磁誘導加熱部材の磁力線は、磁気伝導性を有する吸気管６０を貫通して、誘導加熱することができ、吸気管６０は遠赤外線加熱部材から放射される赤外線を吸収して発熱することができる。
【０１２６】
実施例７（図示せず）
【０１２７】
熱源が、気流の流れ方向に沿って送風部材３０の下流側に位置することが実施例６との異なる点である。
【０１２８】
熱源は、気流の流れ方向に沿って送風部材３０の下流側に位置し、すなわち、送風部材３０から吹き出された気流は熱源が位置する部位に到達したのち、熱源によって加熱されて、熱風となり、熱風は吸気口９１を介して洗浄用キャビティ９０及び汚物排出管１００内に入り、洗浄用キャビティ９０及び汚物排出管１００を効果的に乾燥する。
【０１２９】
当然のことながら、熱源により生成された熱は吸気管６０内を流れることができ、送風部材３０によって生成された気流も吸気管６０内を流れることができるので、熱源と送風部材３０との間の相対的な位置関係及び具体的な距離は特に限定されず、実際の生産中に必要に応じて調整することができ、熱風を生成して吸気口９１に送ることができればよい。
【０１３０】
実施例８（図示せず）
【０１３１】
送風部材３０と熱源は熱風機として統合されることが実施例６との異なる点である。
【０１３２】
送風部材３０と熱源は熱風機として統合された場合、熱風機から吹き出された風は熱風であるため、熱風を生成するという目的を実現するだけでなく、乾燥装置の部品の点数を減らし、製品の構造の簡略化に有利であり、組み立てスペースを節約する。
【０１３３】
実施例９
【０１３４】
図３に示すように、実施例５から実施例８のうちのいずれかに加えて、材料洗浄装置は、貯蔵箱１０と、材料搬送用キャビティ４０と、材料搬送管７０とをさらに含むことが実施例５から実施例８のうちのいずれかとの異なる点である。
【０１３５】
具体的には、貯蔵箱１０は、材料を貯蔵するために用いられ、かつ、材料排出口１１が設けられている。材料搬送用キャビティ４０には、材料供給口４１、送風口４２及び材料流出口４３が設けられており、材料供給口４１は材料排出口１１と連通し、送風口４２は吸気管６０の出力端に突き合わされて連通される。材料搬送管７は、入力端が材料流出口４３に突き合わされて連通され、出力端が吸気口９１に突き合わされて連通される。
【０１３６】
材料洗浄装置は、貯蔵箱１０と、材料搬送用キャビティ４０と、材料搬送管７０とをさらに含むため、材料洗浄装置は貯蔵機能及び自動材料搬送機能を有し、また、送風部材３０を用いて空気圧での材料供給を実現できる。さらに、上記乾燥装置が熱源をさらに含む実施例について、送風部材３０及び熱源を利用して材料搬送用キャビティ４０及び材料搬送管７０を乾燥し、材料搬送用キャビティ４０及び材料搬送管７０にカビが発生することを防止することもできる。
【０１３７】
具体的には、貯蔵箱１０の材料排出口１１は材料搬送用キャビティ４０の材料供給口４１と連通しているため、貯蔵箱１０内の材料が材料搬送用キャビティ４０内に入って中継されることができる。材料搬送用キャビティ４０の送風口４２が吸気管６０の出力端に突き合わされて連通され、材料流出口４３が材料搬送管７０の入力端に突き合わされて連通され、材料搬送管７０の出力端が洗浄用キャビティ９０の吸気口９１に突き合わされて連通されるので、送風部材３０によって生成された空気は吸気管６０を介して材料搬送用キャビティ４０に入り、さらに材料搬送管７０を介して洗浄用キャビティ９０及び汚物排出管１００に入るので、この時、吸気口９１は吸気にも、材料の供給にも用いられる。
【０１３８】
このように、洗浄用キャビティ９０に材料供給する必要がある時、送風部材３０を起動し、気流を利用して材料搬送用キャビティ４０内の材料を洗浄用キャビティ９０内に吹き込むことにより、空気圧での材料搬送が実現され、空気圧での材料搬送は、クリーンで無公害という利点を有する。材料の搬送が完了したのち、熱源及び送風部材３０を同時に起動すると、熱風が材料搬送用キャビティ４０及び材料搬送管７０を乾燥するとともに、材料搬送用キャビティ４０及び材料搬送管７０内に残留した澱粉等の付着物を除去するため、材料搬送用キャビティ４０及び材料搬送管７０にカビが発生することを防止する。材料洗浄が完了したのち、洗浄後の汚水は汚物排出管１００を介して排出され、材料は材料吐出口９３から排出される。この時、熱源と送風部材３０を同時に起動し、熱風を利用して洗浄用キャビティ９０と汚物排出管１００を乾燥するとともに、洗浄用キャビティ９０と汚物排出管１００に残留した澱粉などの付着物を除去するため、洗浄用キャビティ９０と汚物排出管１００にカビが発生することを防止する。
【０１３９】
当然のことながら、本願の乾燥装置は、材料搬送用キャビティ４０と材料搬送管７０を乾燥するためにのみ用いられてもよく、例えば、材料搬送管７０の出力端は、内鍋５０と連通して、材料を内鍋５０に直接送り込む。材料搬送が完了した後、熱源と送風部材３０を同時に起動して、材料搬送用キャビティ４０と材料搬送管７０を乾燥するとともに、材料搬送用キャビティ４０と材料搬送管７０に残留した澱粉などの付着物を除去するため、材料搬送用キャビティ４０と材料搬送管７０にカビが発生することを防止する。
【０１４０】
さらに、図３に示すように、材料排出口１１と材料供給口４１との間には、材料排出口１１と材料供給口４１との間の開閉を制御するための材料下ろし弁２０がさらに設けられている。
【０１４１】
材料排出口１１と材料供給口４１との間に、材料排出口１１と材料供給口４１との間の開閉を制御するための材料下ろし弁２０が設けられることにより、貯蔵箱１０と材料搬送用キャビティ４０との間の選択的な開閉が実現され、材料の定量搬送の実現が容易になっただけでなく、材料搬送用キャビティ４０を空にすることも容易になったため、熱風が材料搬送用キャビティ４０をスムーズに通過することが容易になり、材料搬送用キャビティ４０、材料搬送管７０、洗浄用キャビティ９０、及び汚物排出管１００に対する乾燥機能を実現する。
【０１４２】
図１から図３に示すように、本願の第２の態様の実施例にて提供される調理器具は、調理本体と、第１の態様の実施例のいずれか一項などの材料洗浄装置とを含む。
【０１４３】
ここで、調理本体は、調理室及び調理室を加熱するためのヒーター８２を有する。材料洗浄装置の材料吐出口９３は、調理室と連通し、洗浄用キャビティ９０内に送られる材料を洗浄し、洗浄後の材料を前記調理室に送り込むために用いられる。
【０１４４】
本願の第２の態様の実施例にて提供される調理器具は第１の態様の実施例のうちのいずれか一項の材料洗浄装置を含むため、上記いずれか一つの実施例のすべての有益な効果を有し、ここでは詳細な説明を省略する。
【０１４５】
さらに、図１に示すように、調理本体は、鍋体１３０及び蓋体１２０を含み、鍋体１３０は内鍋５０を含み、調理室を囲むように蓋体１２０で内鍋５０に蓋をし、ただし、材料洗浄装置は蓋体１２０に設けられる。
【０１４６】
材料洗浄装置が蓋体１２０に設けられることで、洗浄用キャビティ９０の材料吐出口９３が開いたときに調理室と連通しやすくなり、それにより洗浄用キャビティ９０内の材料が調理室内にスムーズに入って調理されることができ、構造がコンパクトで合理的であり、また、上向きに上昇する高温蒸気が材料吐出弁１１０に接触しやすく、それにより材料吐出弁１１０を効果的に加熱し、材料吐出弁１１０が急速に昇温する。
【０１４７】
さらに、図３に示すように、内鍋５０と蓋体１２０との間にはシール部材１４０が設けられている。
【０１４８】
内鍋５０と蓋体１２０との間にシール部材１４０を設けることで、内鍋５０内の高温蒸気が蓋体１２０に入って、蓋体１２０内の構造を破壊したり、その使用信頼性を損なったりすることを効果的に回避でき、また、内鍋５０からの熱損失が著しく低減することにより、熱利用率が向上し、さらに、調理器具の調理効率が向上するだけでなく、材料吐出弁１１０の昇温速度が向上し、乾燥装置の乾燥効率がより向上する。
【０１４９】
上記いずれか一つの実施例において、調理器具は電気炊飯器である。
【０１５０】
電気炊飯器に限定されず、電気圧力鍋、煮込み用電気鍋、蒸し用電気鍋、コーヒーメーカー、自動ミルクメーカーなどであってもよい。
【０１５１】
以下、本願にて提供される調理器具の構造及び動作原理について、２つの具体的な実施例を参照しながら詳細に説明する。
【０１５２】
具体的な実施例１
【０１５３】
全自動炊飯器であって、貯米部（即ち貯蔵箱１０）、米下ろし弁（即ち材料下ろし弁２０）、ファン（即ち送風部材３０）、米受け部（即ち材料搬送用キャビティ４０）、内鍋５０、空気供給管（即ち吸気管６０）、米搬送管（即ち材料搬送管７０）、発熱管８１、洗米容器（即ち洗浄用キャビティ９０）、汚物排出管１００、及び米排出弁（即ち材料吐出弁１１０）を含む。
【０１５４】
本技術的手段において以下の原理により配管又は容器の乾燥を実減する。
【０１５５】
図１、図２に示すように、発熱管８１は吸気管６０内に取り付けられ、ファンの先端に設けられても、ファンの後端に設けられてもよく、発熱管８１をファンと併せてもよく、熱風機を用いて代替する。
【０１５６】
図１に示すように、米の供給が完了すると、発熱管８１とファンを同時に起動し、熱風が米供給配管に入り、米搬送管と米受け部を乾燥するとともに、乾燥後に残留した澱粉を吹き飛ばす。
【０１５７】
図２に示すように、米を洗米容器で洗浄した後、洗米水は汚物排出管１００により排出され、米は米排出弁から内鍋５０に入る。
【０１５８】
洗米容器からの米の排出が完了したのち、米排出弁が洗米容器を密閉する。
【０１５９】
発熱管８１及びファンを起動し、熱風は配管を介して洗米容器に入り、洗米容器の底部が閉じられているため、熱風は汚物排出管１００からしか通過できず、この時、熱風は洗米容器及び汚物排出管１００を乾燥するとともに、乾燥後に残留した澱粉などの付着物を取り除く。
【０１６０】
配管及び容器の乾燥が完了した後、発熱管８１及びファンをオフにする。
【０１６１】
配管及び容器の乾燥は米の送給又は洗米が完了した後に行われるだけでなく、空気の湿度に基づいて、乾燥コースを随時に起動して、配管及び容器の乾燥を保持することができる。
【０１６２】
発熱管８１は、他の熱源に代替されてもよく、例えば、電気抵抗線加熱、電磁誘導加熱、遠赤外線加熱などであってもよく、吸気管６０内で熱風を発生することを目的とする。
【０１６３】
これから分かるように、本実施例は、熱風乾燥配管及び容器の方法を採用して、澱粉によってカビが発生せず、また、乾燥後の澱粉が配管及び容器壁から剥れ、熱風に伴って除去され、残留ものを減らす。
【０１６４】
具体的な実施例２
【０１６５】
全自動炊飯器であって、貯米部（即ち貯蔵箱１０）、米下ろし弁（即ち材料下ろし弁２０）、ファン（即ち送風部材３０）、米受け部（即ち材料搬送用キャビティ４０）、内鍋５０、空気供給管（即ち吸気管６０）、米搬送管（即ち材料搬送管７０）、ヒーター８２、洗米容器（即ち洗浄用キャビティ９０）、汚物排出管１００、金属ボール（即ち材料吐出弁１１０）、上蓋アセンブリ（即ち蓋体１２０）、釜体アセンブリ（即ち鍋体１３０）、内鍋５０及びシール部材１４０（即ちシール部材１４０）を含む。
【０１６６】
本技術的手段において、以下の原理により配管又は容器の乾燥を実現する。
【０１６７】
図３に示すように、米を洗米容器で洗浄した後、洗米水は汚物排出管１００により排出され、米は金属ボール箇所から内鍋５０に入る（金属ボールは上下に移動することができ、上方へ移動する時は洗米容器を開いて米を排出し、下方へ移動して底部に達すると、洗米容器を密閉する）。
【０１６８】
洗米容器からの米の排出が完了した後、金属ボールは洗米容器を密閉する。
【０１６９】
この時、炊飯器は調理加熱コースに入って、ヒーター８２が起動し、内鍋５０内の温度が上昇し始める。
【０１７０】
金属ボールは、内鍋５０の空間内にあるため、その温度も伴って上昇して、洗米容器内の空気を加熱する。この時、金属ボールは発熱構造に相当し、金属ボールは良好に熱を伝達することができる。
【０１７１】
ファンを起動して、洗米容器内の熱気流を汚物排出管１００により排出させるとともに、温度上昇により蒸発した洗米容器及び汚物排出管１００内の水蒸気を除去し、それにより容器及び配管を乾燥する。
【０１７２】
乾燥後の澱粉も熱気流に伴って除去され、容器と配管にカビが発生しないように保持する。
【０１７３】
これから分かるように、本実施例は、熱風乾燥配管及び容器の方法を採用して、澱粉によってカビが発生せず、また、乾燥後の澱粉が配管及び容器壁から剥れ、熱風に伴って除去され、残留ものを減らす。そして、他の熱源を増やすことなく、調理中の金属ボールの高効率熱伝達を利用して、容器及び配管内の温度上昇が実現され、ファンによって生成される気流と併せて、配管と容器を乾燥し、カビを防止することを実現する。
【０１７４】
要約すると、本願にて提供される材料洗浄装置は、乾燥装置が増設され、乾燥装置は、吸気管、送風部材及び熱源を含み、送風部材は動作時に吸気管に送風し、吸気管は気流を洗浄用キャビティに送り、気流は、吸気口を介して洗浄用キャビティに入り、さらに汚物排出口を介して汚物排出管に入り、熱源は、気流が熱風になれるように、吸気管によって送られる気流を加熱することができ、それにより洗浄用キャビティの内壁面及び汚物排出管の内壁面を効果的に乾燥し、残留した澱粉などの付着物が洗浄用キャビティの内壁面及び汚物排出管の内壁面から剥れるとともに、気流に伴って排出されるので、洗浄用キャビティ及び汚物排出管にカビが発生することを効果的に防止し、材料洗浄装置の清浄度が向上し、製品の使用信頼性が向上する。
【０１７５】
添付の特許請求の範囲があるが、本願は次の事項によっても保護される。
【０１７６】
１．材料洗浄装置であって、
吸気口、材料吐出口、及び汚物排出口が開設されている洗浄用キャビティと、
前記汚物排出口と連通し、前記洗浄用キャビティ内の汚物を排出するための汚物排出管と、
出力端が前記吸気口と連通し、前記洗浄用キャビティの内壁面及び前記汚物排出管の内壁面を乾燥するように前記洗浄用キャビティ及び前記汚物排出管に熱風を送るための吸気管と、前記吸気管と連通し、前記吸気管に送風するための送風部材と、前記吸気管と協働して前記吸気管内の風を加熱するための熱源とを含む乾燥装置と、を含む。
【０１７７】
２．事項１に記載の材料洗浄装置であって、
前記熱源は、気流の流れ方向に沿って前記送風部材の下流側に位置するか、又は
前記熱源は、気流の流れ方向に沿って前記送風部材の上流側に位置する。
【０１７８】
３．事項２に記載の材料洗浄装置であって、
前記熱源は発熱管、電気抵抗線、電磁誘導加熱部材、遠赤外線加熱部材のうちの１つ又は複数を含む。
【０１７９】
４．事項１に記載の材料洗浄装置であって、
前記送風部材と前記熱源は熱風機として統合される。
【０１８０】
５．事項１から４のいずれか一項に記載の材料洗浄装置であって、
前記送風部材は前記吸気管と協働して、前記熱風の流速を８０ｍ／ｓ以下にする。
【０１８１】
６．事項１から４のいずれか一項に記載の材料洗浄装置であって、
前記送風部材は前記吸気管と協働して、前記熱風の流量を１０Ｌ／ｍｉｎ以下にする。
【０１８２】
７．事項１から４のいずれか一項に記載の材料洗浄装置であって、
前記材料吐出口には前記材料吐出口を開閉するための材料吐出弁が設けられる。
【０１８３】
８．事項１から４のいずれか一項に記載の材料洗浄装置であって、さらに、
材料排出口が設けられ、材料を貯蔵するための貯蔵箱と、
前記材料排出口と連通する材料供給口と、前記吸気管の出力端に突き合わされて連通する送風口と、材料流出口とが設けられている材料搬送用キャビティと、
入力端が前記材料流出口に突き合わされて連通され、出力端が前記吸気口に突き合わされて連通する材料搬送管とを含む。
【０１８４】
９．事項８に記載の材料洗浄装置であって、
前記材料排出口と前記材料供給口との間には、前記材料排出口と前記材料供給口との間の開閉を制御するための材料下ろし弁がさらに設けられている。
【０１８５】
１０．調理器具であって、
調理室を有する調理本体と、
材料吐出口が前記調理室と連通し、洗浄用キャビティ内に送り込まれた材料を洗浄し、洗浄後の材料を前記調理室に送り込むための事項１から９のいずれか一項に記載の材料洗浄装置とを含む。
【０１８６】
１１．材料洗浄装置であって、
吸気口、材料吐出口、及び汚物排出口が開設されている洗浄用キャビティと、
前記汚物排出口と連通し、前記洗浄用キャビティ内の汚物を排出するための汚物排出管と、
吸気管と、前記吸気管と連通し、前記吸気管に送風するための送風部材と、材料吐出口に取り付けられ、前記洗浄用キャビティに対して移動して前記材料吐出口を開閉することができる材料吐出弁と、を含み、ただし、前記材料吐出弁は、前記洗浄用キャビティの内壁面及び前記汚物排出管の内壁面を乾燥するように前記調理室内の熱を前記洗浄用キャビティ及び前記汚物排出管に伝導することができる熱伝導部材である乾燥装置とを含む。
【０１８７】
１２．事項１１に記載の材料洗浄装置であって、
前記洗浄用キャビティの底壁が部分的に下方へ凹んで凹溝を形成し、前記材料吐出口が前記凹溝の底壁に開設されている。
【０１８８】
１３．事項１２に記載の材料洗浄装置であって、
前記材料吐出弁は前記凹溝内に位置し、その底部が前記材料吐出口から突出する。
【０１８９】
１４．事項１１から１３のいずれか一項に記載の材料洗浄装置であって、
前記熱伝導部材は金属部材であり、及び／又は
前記材料吐出弁はボール弁である。
【０１９０】
１５．事項１１から１３のいずれか一項に記載の材料洗浄装置であって、
前記乾燥構造は、前記吸気管と協働して前記吸気管内の風を加熱する熱源をさらに含む。
【０１９１】
１６．事項１５に記載の材料洗浄装置であって、
前記熱源は、気流の流れ方向に沿って前記送風部材の下流側に位置するか、又は
前記熱源は、気流の流れ方向に沿って前記送風部材の上流側に位置し、又は
前記送風部材と前記熱源は熱風機として統合される。
【０１９２】
１７．事項１１から１３のいずれか一項に記載の材料洗浄装置であって、
材料排出口が設けられ、材料を貯蔵するための貯蔵箱と、
前記材料排出口と連通する材料供給口と、前記吸気管の出力端に突き合わされて連通する送風口と、材料流出口とが設けられている材料搬送用キャビティと、
入力端が前記材料流出口に突き合わされて連通され、出力端が前記吸気口に突き合わされて連通する材料搬送管とをさらに含む。
【０１９３】
１８．調理器具であって、
調理室及び前記調理室を加熱するためのヒーターを有する調理本体と、
材料吐出口が前記調理室と連通し、洗浄用キャビティ内に送り込まれた材料を洗浄し、洗浄後の材料を前記調理室に送り込むための事項１１から１７のいずれか一項に記載の材料洗浄装置とを含む。
【０１９４】
１９．事項１８に記載の調理器具であって、
前記調理本体は、鍋体及び蓋体を含み、前記鍋体は内鍋を含み、前記調理室を囲むように前記蓋体で前記内鍋に蓋をし、ただし、前記材料洗浄装置は前記蓋体に設けられる。
【０１９５】
２０．事項１９に記載の調理器具であって、
前記内鍋と前記蓋体との間にはシール部材が設けられている。
【０１９６】
本願において、用語「第１」、「第２」、及び「第３」は、目的を説明するためのものであり、相対的な重要性の指示又は示唆として理解されることができない。特に明記しない限り、用語「複数」は２つ以上を指す。用語「取り付け」、「連結」、「接続」、「固定」などはいずれも広義に理解されるべきである。例えば、「接続」は、固定的に接続されてもよいし、着脱可能に接続されてもよく、又は一体的に接続されてもよい。「連結」は、直接連結されてもよいし、中間媒介を介して間接的に接続されてもよい。当業者であれば、具体的な状況に基づいて本願における上記用語の具体的な意味を理解することができる。
【０１９７】
なお、本願の説明において、「上」、「下」、「左」、「右」、「前」、「後」などの用語で示す方位又は位置関係は、図面に示す方位又は位置関係に基づくものであり、本願を説明しやすく、説明を簡単にするためだけに用いられ、示している装置又はユニットが必ず特定の方向有し、特定の方位構造と操作を有することを指示又は暗示することではないことを理解されるべきである。そのため、本願を限定するものと理解すべきではない。
【０１９８】
本明細書の説明において、用語である「１つの実施例」、「一部の実施例」、「具体的な実施例」などの記述は、当該実施例又は例示に記載された具体的な特徴、構造、材料又は特性を参照して本願の少なくとも１つの実施例又は例示に含まれていることを意図するものである。本明細書において、上記用語に関する例示的な記述は、必ずしも同一の実施例又は例示を言うものとは限らない。また、記載されている具体的な特徴、構造、材料又は特性をいずれかの１つ又は複数の実施例又は例示において適当な方式で組み合わせることができる。
【０１９９】
上記の内容は、本願の好ましい実施例に過ぎず、本願を限定するものではない。当業者であれば、本願に様々な修正や変更が可能である。本願の趣旨及び原則を逸脱しない範囲でなされたすべての修正、均等置換、改良などは、いずれも本願の保護範囲に含まれるものとする。
【符号の説明】
【０２００】
図１〜図３における符号と部材名称との対応関係は次のとおりである。
１０…貯蔵箱、１１…材料排出口、２０…材料下ろし弁、３０…送風部材、４０…材料搬送用キャビティ、４１…材料供給口、４２…送風口、４３…材料流出口、５０…内鍋、６０…吸気管、７０…材料搬送管、８１…発熱管、８２…ヒーター、９０…洗浄用キャビティ、９１…吸気口、９２…汚物排出口、９３…材料吐出口、９４…凹溝、１００…汚物排出管、１１０…材料吐出弁、１２０…蓋体、１３０…鍋体、１４０…シール部材。
【図１】
2021517053.tif 000003
【図２】
2021517053.tif 000004
【図３】
2021517053.tif 000005
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
吸気口、材料吐出口、及び汚物排出口が開設されている洗浄用キャビティと、
前記汚物排出口と連通し、前記洗浄用キャビティ内の汚物を排出するための汚物排出管と、
出力端が前記吸気口と連通し、前記洗浄用キャビティの内壁面及び前記汚物排出管の内壁面を乾燥するように前記洗浄用キャビティ及び前記汚物排出管に気流を送るための吸気管と、前記吸気管と連通し、前記吸気管に送風するための送風部材と、前記吸気管によって送られる気流を加熱可能な発熱構造とを含む乾燥装置と、を含む材料洗浄装置。
【請求項２】
前記発熱構造は、前記吸気管と協働して前記吸気管内の風を加熱するための熱源を含み、これにより熱風が前記吸気管から前記洗浄用キャビティ及び前記汚物排出管に送られる請求項１に記載の材料洗浄装置。
【請求項３】
前記熱源は、気流の流れ方向に沿って前記送風部材の下流側に位置するか、又は
前記熱源は、気流の流れ方向に沿って前記送風部材の上流側に位置し、
前記熱源は、発熱管、電気抵抗線、電磁誘導加熱部材、遠赤外線加熱部材のうちの１つ又は複数を含む請求項２に記載の材料洗浄装置。
【請求項４】
前記発熱構造には熱源が含まれ、前記送風部材と前記熱源とは熱風機として統合され、これにより熱風が前記吸気管から前記洗浄用キャビティ及び前記汚物排出管に送られる請求項１に記載の材料洗浄装置。
【請求項５】
前記送風部材は前記吸気管と協働して、前記熱風の流速を８０ｍ／ｓ以下にし、
前記送風部材は前記吸気管と協働して、前記熱風の流量を１０Ｌ／ｍｉｎ以下にする請求項２から請求項４のいずれか一項に記載の材料洗浄装置。
【請求項６】
前記材料吐出口は調理器具の調理室と連通可能であり、前記材料吐出口には前記材料吐出口を開閉するための材料吐出弁が設けられており、
前記材料吐出弁は、前記調理室内の熱を前記洗浄用キャビティ及び前記汚物排出管に伝導可能な熱伝導部材であり、前記材料吐出弁は前記発熱構造に含まれ、
前記洗浄用キャビティの底壁が部分的に下方へ凹んで凹溝を形成し、前記材料吐出口が前記凹溝の底壁に開設されており、
前記材料吐出弁は前記凹溝内に位置し、その底部が前記材料吐出口から突出し、
前記熱伝導部材は金属部材であり、及び／又は
前記材料吐出弁はボール弁である請求項１から請求項５のいずれか一項に記載の材料洗浄装置。
【請求項７】
材料排出口が設けられ、材料を貯蔵するための貯蔵箱と、
前記材料排出口と連通する材料供給口と、前記吸気管の出力端に突き合わされて連通する送風口と、材料流出口とが設けられている材料搬送用キャビティと、
入力端が前記材料流出口に突き合わされて連通され、出力端が前記吸気口に突き合わされて連通する材料搬送管とをさらに含み、
前記材料排出口と前記材料供給口との間には、前記材料排出口と前記材料供給口との間の開閉を制御するための材料下ろし弁がさらに設けられている請求項１から請求項６のいずれか一項に記載の材料洗浄装置。
【請求項８】
調理室及び前記調理室を加熱するためのヒーターを有する調理本体と、
材料吐出口が前記調理室と連通し、洗浄用キャビティ内に送り込まれた材料を洗浄し、洗浄後の材料を前記調理室に送り込むための請求項１から請求項７のいずれか一項に記載の材料洗浄装置とを含み、
前記調理本体は、鍋体及び蓋体を含み、前記鍋体は内鍋を含み、前記調理室を囲むように前記蓋体で前記内鍋に蓋をし、前記材料洗浄装置は前記蓋体に設けられ、
前記内鍋と前記蓋体との間にはシール部材が設けられている調理器具。
【国際調査報告】
2021517053.tif 000006
2021517053.tif 000007
2021517053.tif 000008
2021517053.tif 000009
2021517053.tif 000010
2021517053.tif 000011